(57)【要約】【課題】様々な寸法の消火器を保持できる設置の簡便な消火器保持具を提供する。【解決手段】消火器を保持する消火器保持具であって、前記消火器が置かれる基台と、該基台に立設されて前記消火器を保持する保持部材と、前記消火器に付属する留め具により前記消火器を係止する係止部材とを備え、前記係止部材が前記保持部材に上下位置可変な状態で固定される。【選択図】図１
2020039547.tif 000002
【特許請求の範囲】
【請求項１】
消火器を保持する消火器保持具であって、前記消火器が置かれる基台と、該基台に立設されて前記消火器を保持する保持部材と、前記消火器に付属する留め具により前記消火器を係止する係止部材とを備え、
前記係止部材が前記保持部材に上下位置可変な状態で固定されることを特徴とする消火器保持具。
【請求項２】
前記基台の上面に滑り止め部材が設けられることを特徴とする請求項１に記載の消火器保持具。
【請求項３】
前記基台の下面に接着部材が設けられることを特徴とする請求項１又は２に記載の消火器保持具。
【請求項４】
前記基台のほぼ中央部に前記基台を回転剥離するための穴が設けられることを特徴とする請求項１乃至３何れか１項に記載の消火器保持具。
【発明の詳細な説明】
【技術分野】
【０００１】
本発明は、消火器を簡便に保持する消火器保持具に関する。
【背景技術】
【０００２】
従来、消火器を保持する器具が種々提案されている。
【０００３】
たとえば、特許文献１に開示されている組み立て式消火器スタンドは３枚の板を互いに直角に組み立てて自立させ、その中に消火器を収めるものである。
【０００４】
特許文献２及び特許文献３には埋め込み式の消火器ケースが開示されている。
【先行技術文献】
【特許文献】
【０００５】
【特許文献１】特開２０１５−５８２６４
【特許文献２】特開２００２−３３６３６９
【特許文献３】特開２００２−８５５７９
【発明の概要】
【発明が解決しようとする課題】
【０００６】
しかしながら、引用文献１に開示された発明は3枚の部材を用意して5か所で結合する手間が必要になるという問題点がある。
【０００７】
引用文献２及び３に開示された発明は、ともに壁に埋め込み前面に扉を用意するなど構造が複雑で埋め込み工事が必要になるという問題点がある。またケースの大きさで決まる収納可能な消火器の寸法の範囲が狭いという問題点もある。
【０００８】
この発明の目的は、上述した事情に鑑みて様々な寸法の消火器を保持できる設置の簡便な消火器保持具を提供することである。
【課題を解決するための手段】
【０００９】
請求項１に記載の消火器保持具は、消火器を保持する消火器保持具であって、前記消火器が置かれる基台と、該基台に立設されて前記消火器を保持する保持部材と、前記消火器に付属する留め具により前記消火器を係止する係止部材とを備え、前記係止部材が前記保持部材に上下位置可変な状態で固定されることを特徴とする。
【００１０】
消火器が置かれる基台と、該基台に立設されて前記消火器を保持する保持部材と、前記消火器に付属する留め具により前記消火器を係止する係止部材とを備え、前記係止部材が前記保持部材に上下位置可変な状態で固定されるので高さの異なる消火器を容易に設置することができる。
【００１１】
請求項２に記載の消火器保持具は、請求項１に記載の消火器保持具において前記基台の上面に滑り止め部材が設けられることを特徴とする。
【００１２】
基台の上面に滑り止め部材が設けられるので、地震などで消火器が置かれた場所が揺れるときに消火器の下部と留め具の有る上部とが同じ様に動くので消火器が倒れ難い。
【００１３】
請求項３に記載の消火器保持具は、請求項１又は２に記載の消火器保持具において、前記基台の下面に接着部材が設けられることを特徴とする。
【００１４】
基台の下面に接着部材が設けられるので、消火器保持具が安定に床などへ設置される。
【００１５】
請求項４に記載の消火器保持具は、請求項１乃至３何れか１項に記載の消火器保持具において、前記基台のほぼ中央部に前記基台を回転剥離するための穴が設けられることを特徴とする。
【００１６】
基台のほぼ中央部に前記基台を回転剥離するための穴が設けられるので消火器保持具を外す際に、基台に設けられた穴へ剥離治具を装着して回転することで容易に消火器保持具を床から外すことができる。
【図面の簡単な説明】
【００１７】
【図１】本発明に係る消火器保持具に消火器を設置した場合の説明図である。
【図２】消火器保持具において（Ａ）側面図、（Ｂ）両面テープを貼りつけた滑り防止部材、（Ｄ）基台の平面図、（Ｃ）基台の底面である。
【図３】滑り防止部材の（Ａ）振動実験前の説明図、（Ｂ）振動実験後の説明図である。
【図４】回転剥離に関する説明図である。
【図５】本発明に係る消火器保持具へ（Ａ）中型消火器、（Ｂ）小型消火器を設置した場合の説明図である。従来の消火器保持具へ（Ｃ）中型消火器、（Ｄ）小型消火器を設置した場合の説明図である。
【発明を実施するための形態】
【００１８】
以下、本発明の消火器保持具の実施形態を図面に基づいて説明する。図１を用いて本発明に係る消火器保持具へ消火器を設置した様子を説明する。消火器保持具は消火器を載せる基台１とこれに立設されて消火器の転倒を防止する保持部材５により構成される。保持部材５は全体にネジ溝が刻まれた全ネジボルトが好適である。保持部材５は基台１の端に溶接などで固定されているナット１０へ長い全ネジボルトをねじ込むことで保持部材５が固定される。全ネジボルトで構成される保持部材５はナット１１で回転を固定されて高さが決まる。
【００１９】
保持部材５に刻まれたネジへ係止部材２を設置する消火器の大きさで決まる留め具の位置に合わせて移動固定ネジ１２，１３で高さを調節して固定する。消火器の大きさはさまざまであるが基台に収まる底面を有し、留め具の高さが保持部材５に取り付けられる係止部材２の高さを超えないものであれば設置が可能である。
【００２０】
消火器２０を消火器保持具へ設置する際は、係止部材２の高さを消火器の留め具の高さに合わせて固定して、留め具を係止部材２へ引っかけるようにして基台の上に消火器を設置する。
【００２１】
図２（Ａ）は消火器保持具の側面図で、基台１の上に保持部材５がネジで固定される。基台１の上面には滑り止め部材３を貼りつけるので滑り止め部材３を基台１へ貼りつける際に用いる両面テープ７を例えば図２（Ｂ）のように貼りつける。滑り止め部材の基台１への接着は両面テープの代わりに接着剤を用いても良い。
【００２２】
図２（Ｃ）は両面テープ７を使って基台１へ滑り止め部材３を貼りつけた様子を示している。また、図２（Ｄ）に示すように基台１の下面にも基台１を床などへ固定するための両面テープ４が設けられる。この両面テープ４を使い床へ消火器保持具を固定することで消火器２０が安定に保持された状態で設置される。
【００２３】
以下に、本発明に係る消火器保持具３０による消火器の保持性能の試験について説明する。図１のように消火器２０を消火器保持具３０の上に設置して保持部材の方向と手前方向を結ぶ前後振動（Ｘ方向）と、これに直角の左右振動（Ｙ方向）を与えて様子を調べた。試験結果を表１に示す。
【００２４】
【表１Ａ】
2020039547.tif 000003
【００２５】
表１（Ａ）は、周波数０．５ＨＺから１．９ＨＺまでの正弦波振動を与えた場合の結果である。周波数が高くなると加速度が増加し、該当する震度が震度５弱から震度７までとなる。周波数１．６ＨＺまでは消火器は消火器保持具と一体に動き消火器２０が消火器保持具３０から外れることは無い。
【００２６】
周波数１．７ＨＺから消火器が消火器保持具の動きに追随できずずれが生じてくるがその動きはわずかである。１．７５ＨＺになると消火器が前後方向へ動き保持部材５へ当たって左右に滑り上から見ると係止部材２を支点として回転するようになる。震度７に相当する周波数１．９ＨＺではかなり激しく回転するが消火器２０が消火器保持具３０から外れることは無い。
【００２７】
【表１Ｂ】
2020039547.tif 000004
【００２８】
表１（Ｂ）は保持部材を奥に見て左右方向（Ｙ方向）へ振動を与えた場合である。周波数０５ＨＺから１．９ＨＺまでの試験を行った。周波数０５ＨＺが震度５弱、周波数１．９ＨＺが震度７に相当する。
【００２９】
周波数１．０ＨＺまでは消火器２０は滑り止め部材３の保持力によって消火器保持具３０と一体になって相対的な動きはない。周波数１．３ＨＺから１．５ＨＺに掛けては外部振動の方向（Ｙ方向）の左右へ動き始める。周波数１．６ＨＺでは外部の動きを消火器へ伝えている滑り止め部材３が破れ始める。周波数１．７ＨＺから周波数１．９ＨＺまでは消火器が左右にばたつくものの消火器が消火器保持具から外れることは無い。
【００３０】
前後方向と左右方向で消火器の外部振動に伴う振る舞いに違いが生じるのは、保持部材の存在と係止部材の形状によるものと思われるが、何れの場合も震度７の外部振動に対して消火器が消火器保持具から外れて転倒するなどの事故は起こらなかった。
【００３１】
図３に滑り止め部材３の実験前（Ａ）と実験後（Ｂ）の様子を示す。実験後（Ｂ）では滑り止め部材の表面が消火器の底面に擦られてささくれ、一部が破損ししていることが分かる。滑り止め部材は耐久性と滑り止めの性能などで多角的に検討し好適なものを使用する。
【００３２】
図４を用いて消火器保持具を設置場所から外す際に用いる回転剥離について説明する。基台１と床面との間の接着は接着剤や両面テープにより強固に行われており上方向に力を加えても剥がすことが難しい。しかしながら、接着面の接着力はせんだん力に対しては弱いことに着目して基台の中央部の回転中心となる場所へ剥離治具を装着する回転剥離用穴８を設けた。この孔８へ剥離治具を嵌めて図４（Ｂ）に示すように水平面内で回転させることで容易に消火器保持具を床などの設置面から外すことができる。
【００３３】
図５は本発明に係る消火器保持具３０へ（Ａ）中型の消火器、（Ｂ）小型の消火器を設置した場合を示す。消火器保持具３０に載せられる消火器の大きさは消火器の底面が基台１の大きさに収まり、消火器の留め具の高さが消火器保持具の係止部２の高さに合わせられるまでで決まり、保持可能な消火器の大きさの自由度が大きい。
【００３４】
それに対し、図５（Ｃ）に示す従来の消火器保持具４０では保持枠４１及び保持枠４１を支える保持部材４２の寸法が設置を想定する消火器の最大寸法に合わせてあるので、小型の消火器を設置した場合は図５（Ｄ）のように消火器が消火器保持具の中でその位置が定まりにくいという問題がある。図５（Ｄ）の場合は大きな外部振動により消火器が外へ滑り出す虞もある。
【００３５】
本発明により様々な寸法の消火器を大きな外部振動に対しても安定し手保持する消火器保持具を提供することができる。
【符号の説明】
【００３６】
１  基台
２  係止部材
３  滑り止め部材
４  両面テープ
５  保持部材
７  両面テープ
８  回転剥離用穴
１０、１１  保持部材固定用ナット
１２，１３  係止部材固定用ナット
１５  回転剥離治具
２０  消火器
３０  消火器保持具
４０  従来の消火器保持具
４１  保持枠
４２  保持部材
４２  従来の消火器保持具
【図１】
2020039547.tif 000005
【図２】
2020039547.tif 000006
【図３】
2020039547.tif 000007
【図４】
2020039547.tif 000008
【図５】
2020039547.tif 000009